(57)【要約】【課題】カバー部材の固定作業の作業性を向上させることが可能な直流電源を提供する。【解決手段】この直流電源１００は、複数の第１収納室３１のうち、電源ユニット１０が収納されない第１収納室３１の開口を覆うように配置されるカバー部材４０を備え、第１収納室３１は、カバー部材４０に係合する凹部３１ｆを含み、カバー部材４０は、凹部３１ｆに着脱可能に係合し、カバー部材４０を第１収納室３１に固定するための爪部４１ａを含む。【選択図】図５
2017184370.tif 000002
【特許請求の範囲】
【請求項１】
交流電力を直流電力に変換する電源ユニットと、
前記電源ユニットにより変換された直流電力を蓄電するバッテリユニットと、
前記電源ユニットが着脱可能に収納される複数の第１収納室と、前記バッテリユニットが着脱可能に収納される第２収納室とを含む筐体と、
前記複数の第１収納室のうち、前記電源ユニットが収納されない前記第１収納室の開口を覆うように配置されるカバー部材とを備え、
前記第１収納室は、前記カバー部材に係合する第１係合部を含み、
前記カバー部材は、前記第１係合部に着脱可能に係合し、前記カバー部材を前記第１収納室に固定するための第２係合部を含む、直流電源。
【請求項２】
前記第１係合部は、前記第１収納室の内側面に設けられた凹部または前記凹部に着脱可能に係合する爪部の一方を含み、
前記第２係合部は、前記凹部または前記凹部に着脱可能に係合する前記爪部の他方を含む、請求項１に記載の直流電源。
【請求項３】
前記第１係合部は、前記凹部を含み、
前記第２係合部は、前記爪部を含み、
前記爪部は、弾性変形可能な板ばね部材に設けられており、
前記板ばね部材は、前記爪部の一方側に設けられ、前記板ばね部材を前記カバー部材に締結固定するための固定部と、前記爪部の他方側に設けられ、前記固定部を中心として前記爪部を前記凹部から離間する方向に移動させて、前記爪部と前記凹部との係合状態を解除するための係合解除部と含む、請求項２に記載の直流電源。
【請求項４】
前記カバー部材は、前記第２係合部が設けられる側とは反対側に設けられ、前記カバー部材から前記第１収納室側に突出するとともに、前記第１収納室の内側面を押圧する弾性変形可能な押圧部をさらに含む、請求項１〜３のいずれか１項に記載の直流電源。
【請求項５】
前記複数の第１収納室を上下に仕切るための仕切板をさらに備え、
前記カバー部材は、箱状を有しているとともに、箱状の前記カバー部材の上面に設けられ、前記仕切板に当接して前記カバー部材が前記第１収納室の奥側に移動するのを規制する当接部をさらに含む、請求項１〜４のいずれか１項に記載の直流電源。
【請求項６】
前記カバー部材は、前記カバー部材の上面と前面とに跨るように設けられ、前記カバー部材を着脱する際の取っ手となる孔部をさらに含む、請求項１〜５のいずれか１項に記載の直流電源。
【発明の詳細な説明】
【技術分野】
【０００１】
この発明は、直流電源に関し、特に、電源ユニットを備える直流電源に関する。
【背景技術】
【０００２】
従来、電源ユニットを備える直流電源が知られている（たとえば、特許文献１参照）。
【０００３】
上記特許文献１には、交流電力を直流電力に変換する電源ユニットと、電源ユニットにより変換された直流電力を蓄電するバッテリユニットとを備える直流電源が開示されている。電源ユニットおよびバッテリユニットは、それぞれ、筐体に設けられる電源ユニットを収納するための収納室（以下、第１収納室という）と、バッテリユニットを収納するための収納室（以下、第２収納室という）とに収納されている。また、電源ユニットおよびバッテリユニットは、共に、複数ずつ設けられている。また、第１収納室および第２収納室も、共に、複数ずつ設けられている。
【０００４】
ここで、複数の第１収納室の全てに電源ユニットを配置しなくても、所望の電圧（電力）を得ることが可能な場合がある。この場合、複数の第１収納室のうち、電源ユニットが配置されない第１収納室が存在することになる。なお、電源ユニットには、電源ユニットを冷却するためのファンが設けられており、電源ユニットの一方側から他方側に向かって冷却風を送風するように構成されている。ここで、電源ユニットが配置されない第１収納室が存在する場合、電源ユニットのファンにより発生された冷却風が、電源ユニットが配置されない第１収納室を介して逆方向に流れる（冷却風が戻ってくる）場合があるという不都合がある。
【０００５】
そこで、従来では、電源ユニットが配置されない第１収納室に、カバー部材を配置して、冷却風が電源ユニットが配置されない第１収納室を介して逆方向に流れるのを防止することが行われている。なお、カバー部材は、筐体（第１収納室）の外側からカバー部材に螺合されるねじにより、固定されている。
【先行技術文献】
【特許文献】
【０００６】
【特許文献１】国際公開第２０１４／１４１４８６号
【発明の概要】
【発明が解決しようとする課題】
【０００７】
しかしながら、カバー部材を、筐体（第１収納室）の外側からねじにより固定する従来の構造では、筐体（第１収納室）の外側から治具によりねじを螺合する（ねじ止めする）必要がある。ここで、直流電源の近傍に他の装置などが配置されていた場合、他の装置がねじ止めの作業の妨げとなるため、カバー部材の固定作業の作業性が悪いという問題点がある。
【０００８】
この発明は、上記のような課題を解決するためになされたものであり、この発明の１つの目的は、カバー部材の固定作業の作業性を向上させることが可能な直流電源を提供することである。
【課題を解決するための手段】
【０００９】
上記目的を達成するために、この発明の一の局面による直流電源は、交流電力を直流電力に変換する電源ユニットと、電源ユニットにより変換された直流電力を蓄電するバッテリユニットと、電源ユニットが着脱可能に収納される複数の第１収納室と、バッテリユニットが着脱可能に収納される第２収納室とを含む筐体と、複数の第１収納室のうち、電源ユニットが収納されない第１収納室の開口を覆うように配置されるカバー部材とを備え、第１収納室は、カバー部材に係合する第１係合部を含み、カバー部材は、第１係合部に着脱可能に係合し、カバー部材を第１収納室に固定するための第２係合部を含む。
【００１０】
この発明の一の局面による直流電源では、上記のように、第１収納室は、カバー部材に係合する第１係合部を含み、カバー部材は、第１係合部に着脱可能に係合し、カバー部材を第１収納室に固定するための、第２係合部を含む。これにより、カバー部材の第２係合部を第１収納室の第１係合部に係合させるだけで、カバー部材を第１収納室に固定することができるので、治具を用いてカバー部材を第１収納室にねじ止めする場合と異なり、カバー部材の固定作業の作業性を向上させることができる。また、カバー部材の第２係合部と第１収納室の第１係合部との係合を解除するだけで、カバー部材を第１収納室から取り外すことができるので、カバー部材の取り外し作業の作業性を向上させることができる。
【００１１】
上記一の局面による直流電源において、好ましくは、第１係合部は、第１収納室の内側面に設けられた凹部または凹部に着脱可能に係合する爪部の一方を含み、第２係合部は、凹部または凹部に着脱可能に係合する爪部の他方を含む。このように構成すれば、第１収納室の凹部または凹部に着脱可能に係合する爪部の一方が、第１収納室の内側面に設けられているので、直流電源の近傍に他の装置などが配置されていた場合でも、他の装置に干渉されることなく、凹部と爪部とを係合させることができる。
【００１２】
この場合、好ましくは、第１係合部は、凹部を含み、第２係合部は、爪部を含み、爪部は、弾性変形可能な板ばね部材に設けられており、板ばね部材は、爪部の一方側に設けられ、板ばね部材をカバー部材に締結固定するための固定部と、爪部の他方側に設けられ、固定部を中心として爪部を凹部から離間する方向に移動させて、爪部と凹部との係合状態を解除するための係合解除部と含む。このように構成すれば、板ばね部材の係合解除部を、爪部が凹部から離間する方向に移動させるだけで、容易に、爪部と凹部との係合状態を解除することができる。
【００１３】
上記一の局面による直流電源において、好ましくは、カバー部材は、第２係合部が設けられる側とは反対側に設けられ、カバー部材から第１収納室側に突出するとともに、第１収納室の内側面を押圧する弾性変形可能な押圧部をさらに含む。このように構成すれば、第２係合部の係合と、押圧部の押圧との両方によって、カバー部材が第１収納室に固定されるので、カバー部材の第１収納室に対する固定を強固にすることができる。
【００１４】
上記一の局面による直流電源において、好ましくは、複数の第１収納室を上下に仕切るための仕切板をさらに備え、カバー部材は、箱状を有しているとともに、箱状のカバー部材の上面に設けられ、仕切板に当接してカバー部材が第１収納室の奥側に移動するのを規制する当接部をさらに含む。このように構成すれば、カバー部材の移動が当接部に当接する仕切板により規制される。すなわち、カバー部材が、第１収納室において仕切板が配置されている位置よりも奥側に移動するのを、当接部により、容易に抑制することができる。
【００１５】
上記一の局面による直流電源において、好ましくは、カバー部材は、カバー部材の上面と前面とに跨るように設けられ、カバー部材を着脱する際の取っ手となる孔部をさらに含む。このように構成すれば、ユーザが孔部に指を掛けることにより、容易に、カバー部材を第１収納室に出し入れすることができる。
【００１６】
なお、本出願では、以下のような構成も考えられる。
【００１７】
（付記項１）
直流電源は、交流電力を直流電力に変換する電源ユニットと、電源ユニットにより変換された直流電力を蓄電するバッテリユニットと、電源ユニットおよびバッテリユニットに電気的に接続される接続導体と、接続導体に接続され、外部に電力を出力するための、端子側係合部を含む端子を有する接続線とを備え、接続導体には、接続線の端子側係合部と係合する導体側係合部が設けられている。
【００１８】
（付記項２）
上記付記項１による直流電源において、好ましくは、接続線の端子側係合部は端子側孔部を含み、接続導体の導体側係合部は、接続導体から突出する凸部を含み、端子の端子側孔部を、接続導体の凸部に挿通させることにより、接続導体に接続線の端子側孔部を係合するように構成されている。
【００１９】
（付記項３）
この場合、好ましくは、接続導体には、貫通孔からなる接続導体側孔部が設けられおり、凸部は、接続導体側孔部に固定されたねじ部材を含む。
【００２０】
（付記項４）
上記ねじ部材を含む直流電源において、好ましくは、ねじ部材は、ねじ本体部と、ねじ頭部とを含み、ねじ本体部が、接続導体の一方表面側から接続導体側孔部に挿入された状態で、ねじ頭部が接続導体の一方表面側に圧入されている。
【００２１】
（付記項５）
この場合、好ましくは、ねじ本体部に端子側係合部が係合した状態で、ねじ本体部にナット部材を螺合することにより、接続導体と接続線とが固定されるように構成されている。
【００２２】
（付記項６）
上記端子側係合部が端子側孔部を含むとともに導体側係合部が凸部を含む直流電源において、好ましくは、接続線は、第１接続線と第２接続線とを含み、第１接続線は、第１端子と、第１端子に設けられる第１端子側孔部とを有し、第２接続線は、第２端子と、第２端子に設けられる第２端子側孔部とを有し、係合部は、第１端子側孔部に挿通する第１凸部と、第２端子側孔部に挿通する第２凸部とを含み、第１凸部に第１端子側孔部が挿通するとともに、第２凸部に第２端子側孔部が挿通した状態で、第１凸部および第２凸部に跨るように、第１凸部および第２凸部に挿通される板状部材をさらに備える。
【００２３】
（付記項７）
直流電源は、交流電力を直流電力に変換する電源ユニットと、電源ユニットにより変換された直流電力を蓄電するバッテリユニットと、電源ユニットおよびバッテリユニットに電気的に接続される接続導体と、接続導体に接続され、外部に電力を出力するための、接続線と、電源ユニット、バッテリユニット、接続導体、および、接続線が収納される筐体と、筐体内に配置され、筐体を補強するための補強板とを備え、接続線は、補強板を介して接続導体に接続されており、補強板は、補強板の上部に設けられ、接続線を配置するための第１切欠き部を含む。
【００２４】
（付記項８）
上記付記項７による直流電源において、好ましくは、補強板は、板金からなるとともに、第１切欠き部の近傍に設けられ、板金が切り起されている第１切り起こし部をさらに含む。
【００２５】
（付記項９）
上記付記項７による直流電源において、好ましくは、補強板は、略六角形形状の複数の放熱用の孔部をさらに含む。
【００２６】
（付記項１０）
上記付記項７による直流電源において、好ましくは、補強板は、板金からなるとともに、補強板の下部に設けられ、バッテリユニットが挿通される第２切欠き部と、第２切欠き部の上方に接続導体側に向かって延びるように設けられ、配線を載置するための板金が切り起こされている第２切り起こし部とをさらに含む。
【００２７】
（付記項１１）
直流電源は、交流電力を直流電力に変換する電源ユニットと、電源ユニットにより変換された直流電力を蓄電するバッテリユニットと、電源ユニットが着脱可能に収納される第１収納室と、バッテリユニットが着脱可能に収納される第２収納室とを含む筐体と、筐体の前面側に設けられ、電源ユニットおよびバッテリユニットを覆うパネル部材とを備え、パネル部材は、パネル部材の電源ユニットおよびバッテリユニット側に突出するように設けられ、電源ユニットが第１収納室に収納される位置よりも筐体の前面側にずれて位置している場合、および、バッテリユニットが第２収納室に収納される位置よりも筐体の前面側にずれて位置している場合のうちの少なくとも一方において、筐体の前面側に位置している電源ユニットおよびバッテリユニットの少なくとも一方に当接して、筐体へのパネル部材の取り付けを妨げる当接部を含む。
【００２８】
（付記項１２）
上記付記項１１による直流電源において、好ましくは、当接部は、パネル部材の電源ユニットに対応する位置に設けられる第１凸部と、パネル部材のバッテリユニットに対応する位置に設けられる第２凸部とを含む。
【００２９】
（付記項１３）
この場合、好ましくは、電源ユニットおよびバッテリユニットは、共に、複数ずつ設けられており、第１凸部および第２凸部は、共に、複数の電源ユニットおよび複数のバッテリユニットに対応するように、複数ずつ設けられている。
【００３０】
（付記項１４）
上記付記項１１による直流電源において、好ましくは、パネル部材は、樹脂からなり、当接部は、樹脂からなるパネル部材に一体的に設けられている。
【００３１】
（付記項１５）
上記付記項１１による直流電源において、好ましくは、パネル部材は、放熱用の複数の孔部を含み、当接部は、孔部の周縁部から、パネル部材の電源ユニットおよびバッテリユニット側に突出するように設けられている。
【００３２】
（付記項１６）
上記付記項１１による直流電源において、好ましくは、パネル部材は、筐体に係合する係合部を含み、係合部は、電源ユニットが第１収納室に収納される位置よりも筐体の前面側に位置している場合、および、バッテリユニットが第２収納室に収納される位置よりも筐体の前面側に位置している場合のうちの少なくとも一方において、当接部が筐体の前面側に位置している電源ユニットおよびバッテリユニットの少なくとも一方に当接して、パネル部材が筐体に係合できなくなるように構成されている。
【００３３】
（付記項１７）
直流電源は、交流電力を直流電力に変換する電源ユニットと、電源ユニットにより変換された直流電力を蓄電するバッテリユニットと、電源ユニットが着脱可能に収納される収納室を含む筐体と、筐体の前面側に設けられ、電源ユニットおよびバッテリユニットを覆うパネル部材とを備え、パネル部材は、電源ユニットに接続される配線が通過可能な、パネル部材の外縁部に開口を有する切欠きを含む。
【００３４】
（付記項１８）
上記付記項１７による直流電源において、好ましくは、切欠きは、パネル部材を前面側から見て、切欠きの中央部の幅よりも、パネル部材の外縁部に設けられる切欠きの開口の幅の方が小さくなるように構成されている。
【００３５】
（付記項１９）
上記付記項１７による直流電源において、好ましくは、パネル部材は、切欠きの外縁部に沿うように設けられ前面側から後方に延びるリブ部をさらに含む。
【００３６】
（付記項２０）
上記付記項１７による直流電源において、好ましくは、切欠きは、パネル部材の下方に向かって開口するように構成されている。
【００３７】
（付記項２１）
上記付記項１７による直流電源において、好ましくは、切欠きの開口は、パネル部材の前面側から前面とは反対側に向かって、開口の幅が徐々に大きくなるように構成されている。
【発明の効果】
【００３８】
本発明によれば、上記のように、カバー部材の固定作業の作業性を向上させることができる。
【図面の簡単な説明】
【００３９】
【図１】本発明の一実施形態による直流電源のブロック図である。
【図２】サーバラックに配置された直流電源を示す図である。
【図３】本発明の一実施形態による直流電源をＸ２方向側から見た斜視図である。
【図４】本発明の一実施形態による直流電源の筐体の斜視図である。
【図５】本発明の一実施形態による直流電源のカバー部材の斜視図である。
【図６】図５の部分拡大図である。
【図７】本発明の一実施形態のカバー部材をＹ１方向側（前面側）から見た斜視図である。
【図８】バッテリユニットを取り外した状態を示す斜視図である。
【図９】バッテリユニットを取り付けた状態を示す斜視図である。
【図１０】バッテリユニットを取り外した状態を示す側面図である。
【図１１】バッテリユニットを取り付けた状態を示す側面図である。
【図１２】本発明の一実施形態による直流電源のパネル部材の斜視図である。
【図１３】図１２の部分拡大図（１）である。
【図１４】図１２の部分拡大図（２）である。
【図１５】直流電源に配線が接続された状態を示す斜視図である。
【図１６】本発明の一実施形態による直流電源をＹ２方向側（後面側）からみた分解斜視図である。
【図１７】接続導体に接続線が接続された状態を示す斜視図である。
【図１８】図１６の部分拡大図である。
【図１９】接続導体に接続線が接続された状態を示す側面図である。
【図２０】本発明の一実施形態による直流電源の板状部材の斜視図である。
【図２１】本発明の一実施形態による直流電源の補強板の斜視図（１）である。
【図２２】本発明の一実施形態による直流電源の補強板の斜視図（２）である。
【発明を実施するための形態】
【００４０】
以下、本発明を具体化した実施形態を図面に基づいて説明する。
【００４１】
［本実施形態］
図１〜図２２を参照して、本実施形態による直流電源１００の構成について説明する。
【００４２】
（直流電源の概略の構成）
まず、図１および図２を参照して、直流電源１００の概略の構成について説明する。図１に示すように、直流電源１００は、交流電源２００から供給される交流電力を直流電力に変換して、複数のサーバ２１０に供給するように構成されている。また、交流電源２００と直流電源１００との間には、直流用配電機器２０１が設けられている。
【００４３】
直流電源１００は、交流電力を直流電力に変換する電源ユニット１０と、電源ユニット１０により変換された直流電力を蓄電するバッテリユニット２０とを備えている。電源ユニット１０には、電源回路部１１が設けられている。また、電源回路部１１には、ＡＣ／ＤＣ変換器１２と、ＤＣ／ＤＣ変換器１３とが設けられている。そして、交流電源２００から供給される交流電力は、ＡＣ／ＤＣ変換器１２により直流電力に変換される。また、ＡＣ／ＤＣ変換器１２により変換された直流電力は、ＤＣ／ＤＣ変換器１３により所定の電圧を有する直流電力に変換される。そして、ＤＣ／ＤＣ変換器１３により所定の電圧に変換された直流電力が、サーバ２１０に供給される。
【００４４】
また、バッテリユニット２０には、バッテリ回路部２１が設けられている。バッテリ回路部２１には、直流電力を充電するバッテリ２２と、双方向に直流電力の通流を行うＤＣ／ＤＣ変換器２３とが設けられている。バッテリ２２は、双方向に直流電力を通流可能なＤＣ／ＤＣ変換器２３を介して、電源回路部１１に並列に接続されている。また、バッテリ２２は、ＤＣ／ＤＣ変換器２３を介して、電源回路部１１により直流電力が充電されるとともに、充電した直流電力をＤＣ／ＤＣ変換器２３を介して、サーバ２１０に供給する。すなわち、直流電源１００は、通常時に電源回路部１１から直流電力をサーバ２１０に供給するとともに、停電時などの電源回路部１１から直流電力が供給されない場合に、バッテリ回路部２１から直流電力をサーバ２１０に供給する。
【００４５】
また、直流電源１００およびサーバ２１０の組（サーバシステム２２０）は、複数設けられている。また、複数のサーバシステム２２０は、互いに並列に接続されている。
【００４６】
また、図２に示すように、直流電源１００および複数のサーバ２１０は、サーバラック２３０内に配置されている。直流電源１００は、サーバラック２３０の下方に配置されている。複数のサーバ２１０は、直流電源１００の上方に配置されている。また、サーバラック２３０内には、正極用導体２３１および負極用導体２３２を含む直流母線２３３が設けられている。そして、直流母線２３３には、直流電源１００の後述する接続線８０が電気的に接続されている。また、直流母線２３３には、複数のサーバ２１０が並列に接続されている。そして、直流電源１００から出力される直流電力は、直流母線２３３を介して、複数のサーバ２１０に供給される。
【００４７】
（直流電源の詳細な構成）
次に、図３〜図２２を参照して、本実施形態による直流電源１００の詳細な構成について説明する。
【００４８】
〈筐体の構成〉
図３および図４に示すように、直流電源１００は、電源ユニット１０が着脱可能に収納される複数の第１収納室３１と、バッテリユニット２０が着脱可能に収納される第２収納室３２とを含む筐体３０を備えている。具体的には、筐体３０は、４個の第１収納室３１ａ〜３１ｄと、２個の第２収納室３２ａおよび３２ｂとを含む。第１収納室３１ａおよび第１収納室３１ｃは、仕切板３３により上下に仕切られている。また、第１収納室３１ｂおよび第１収納室３１ｄは、仕切板３３により上下に仕切られている。
【００４９】
また、第１収納室３１の内側面３１ｅ（Ｘ１方向側の内側面３１ｅ）には、Ｘ１方向に凹む凹部３１ｆが設けられている。凹部３１ｆは、上下方向（Ｚ方向）に沿って、２個設けられている。また、凹部３１ｆは、Ｙ方向に沿って延びるように設けられている。また、凹部３１ｆは、平面視において、略長方形形状を有する。また、凹部３１ｆは、後述するカバー部材４０の爪部４１ａが係合するように構成されている。なお、凹部３１ｆは、特許請求の範囲の「第１係合部」の一例である。
【００５０】
また、図３に示すように、直流電源１００には、複数の第１収納室３１のうち、電源ユニット１０が収納されない第１収納室３１の開口を覆うように配置されるカバー部材４０が設けられている。たとえば、第１収納室３１ａ〜３１ｃには、電源ユニット１０が収納されている。そして、電源ユニット１０が収納されない第１収納室３１ｄには、第１収納室３１ｄの開口を覆うように、カバー部材４０が配置されている。
【００５１】
〈カバー部材の構成〉
図５に示すように、カバー部材４０は、箱状を有している。また、カバー部材４０は、板金を折り曲げることにより形成されている。また、カバー部材４０のＸ方向の長さＬ１およびＺ方向の長さＬ２は、それぞれ、電源ユニット１０のＸ方向の長さＬ１１およびＺ方向の長さＬ１２に略等しい。また、カバー部材４０のＹ方向の長さＬ３は、電源ユニット１０のＹ方向の長さ（図示せず）よりも小さい。また、カバー部材４０は、電源ユニット１０に設けられたファン１０ａ（図３参照）により送風された冷却風が、電源ユニット１０が設けられない第１収納室３１を介して、冷却風の送風方向と逆方向に流れる（冷却風が戻ってくる）のを抑制する機能を有する。
【００５２】
ここで、本実施形態では、図５に示すように、カバー部材４０は、第１収納室３１の凹部３１ｆに着脱可能に係合し、カバー部材４０を第１収納室３１に固定するための爪部４１ａを含む。具体的には、爪部４１ａは、弾性変形可能な板ばね部材４１に設けられている。また、板ばね部材４１は、爪部４１ａの一方側に設けられ、板ばね部材４１をカバー部材４０に締結固定するための固定部４１ｂと、爪部４１ａの他方側に設けられ、固定部４１ｂを中心として爪部４１ａを凹部３１ｆから離間する方向に移動させて、爪部４１ａと凹部３１ｆとの係合状態を解除するための係合解除部４１ｃと含む。また、板ばね部材４１は、たとえばステンレス鋼から形成されている。なお、爪部４１ａは、特許請求の範囲の「第２係合部」の一例である。
【００５３】
具体的には、図６に示すように、爪部４１ａは、第１収納室３１の内側面３１ｅ側に突出するように２個設けられている。すなわち、爪部４１ａは、２個の凹部３１ｆに対応するように、Ｚ方向に沿って２個設けられている。また、爪部４１ａは、Ｙ方向に沿って延びるように形成されている。また、爪部４１ａは、板ばね部材４１が折り曲げられることにより形成されている。また、爪部４１ａは、Ｙ１方向側（第１収納室３１の前面側）の端部４１１からＹ２方向側（第１収納室３１の奥側）の端部４１２に向かって幅が小さくなるテーパ形状を有する。これにより、カバー部材４０を第１収納室３１の奥側に移動させる場合には、爪部４１ａが凹部３１ｆに引っかからず、スムーズにカバー部材４０を第１収納室３１の奥側に移動させることが可能になる。一方、カバー部材４０を第１収納室３１の前面側に移動させる場合には、爪部４１ａの端部４１１が凹部３１ｆに引っかかり、カバー部材４０の前面側への移動が規制される。
【００５４】
また、図５に示すように、爪部４１ａは、カバー部材４０のＸ１方向側の側面に設けられた矩形状の開口部４２を介して、第１収納室３１の内側面３１ｅ側に突出するように構成されている。
【００５５】
また、固定部４１ｂは、板ばね部材４１のＹ２方向側の端部近傍に設けられている。そして、固定部４１ｂがカバー部材４０の内側面にかしめられることにより、板ばね部材４１がカバー部材４０に締結固定（かしめによる固定）されている。
【００５６】
また、係合解除部４１ｃは、板ばね部材４１のＹ１方向側の端部近傍に設けられている。係合解除部４１ｃは、板ばね部材４１のＹ１方向側の部分が、Ｘ２方向側に略９０度の角度で折り曲げられた後、Ｙ１方向側に略９０度の角度で折り曲げられることにより形成されている。また、係合解除部４１ｃは、カバー部材４０の角部に設けられた開口部４３を介して、カバー部材４０の外部に突出するように構成されている。そして、ユーザが、係合解除部４１ｃをＸ２方向側に移動させることにより、固定部４１ｂを中心として爪部４１ａが凹部３１ｆから離間する方向（Ｘ２方向）に移動して、爪部４１ａと凹部３１ｆとの係合状態が解除される。
【００５７】
また、本実施形態では、図７に示すように、カバー部材４０は、爪部４１ａが設けられる側（Ｘ１方向側）とは反対側（Ｘ２方向側）に設けられ、カバー部材４０から第１収納室３１側に突出するとともに、第１収納室３１の内側面３１ｅ（Ｘ２方向側の内側面３１ｅ）を押圧する弾性変形可能な押圧部４４を含む。具体的には、カバー部材４０は、板金から構成されている。そして、板金から構成されているカバー部材４０のＸ２方向側の側面の一部が切り欠かれる（切り起こされる）ことにより、押圧部４４が形成されている。また、押圧部４４のＹ２方向側の部分が複数回折り曲げられている。これにより、押圧部４４は、カバー部材４０から第１収納室３１側に突出するように構成される。また、押圧部４４は、カバー部材４０のＸ２方向側の側面の略中央部に設けられている。
【００５８】
また、本実施形態では、カバー部材４０は、箱状のカバー部材４０の上面（Ｚ１方向側の面）に設けられ、仕切板３３に当接してカバー部材４０が第１収納室３１の奥側（Ｙ２方向側）に移動するのを規制する当接部４５を含む。具体的には、箱状のカバー部材４０の上面（Ｚ１方向側の面）には、切欠き部４６が設けられている。切欠き部４６は、Ｚ１方向側から見て、略矩形形状を有する。そして、切欠き部４６のＹ１方向側の縁部（当接部４５）が仕切板３３のＹ１方向側の端部に当接するように構成されている。これにより、カバー部材４０の第１収納室３１の奥側（Ｙ２方向側）への移動が規制される。
【００５９】
また、本実施形態では、カバー部材４０は、カバー部材４０の上面と前面（Ｙ１方向側の面）とに跨るように設けられ、カバー部材４０を着脱する際の取っ手となる孔部４７を含む。具体的には、ユーザが、孔部４７に指を引っ掛けることにより、カバー部材４０を移動させて、カバー部材４０を着脱する。また、ユーザが、孔部４７に指（たとえば、人差し指）を引っ掛けるとともに、板ばね部材４１の係合解除部４１ｃに指（たとえば、親指）を引っ掛けて、係合解除部４１ｃ（爪部４１ａ）を凹部３１ｆから離間する方向に移動させる。
【００６０】
また、図３に示すように、電源ユニット１０には、取っ手１０ｂが設けられている。そして、ユーザは、取っ手１０ｂをつかんで、電源ユニット１０をＹ方向に沿って移動させることにより、電源ユニット１０を第１収納室３１に着脱する。
【００６１】
また、図８に示すように、バッテリユニット２０には、取っ手２１が設けられている。バッテリユニット２０が第２収納室３２に収納される前の状態では、取っ手２１は、バッテリユニット２０の前面側（Ｙ１方向側）に回動されている。そして、ユーザは、取っ手２１をつかんで、バッテリユニット２０をＹ２方向に沿って移動させた後、図９に示すように、取っ手２１を、上方側（Ｚ１方向側）に回動させる。
【００６２】
ここで、図８に示すように、取っ手２１の側面（Ｘ１方向側およびＸ２方向側の側面）には、ピン（突起部）２２が設けられている。また、第２収納室３２の側面３２ｃには、略Ｌ字形状の切欠き３２ｄが設けられている。切欠き３２ｄは、Ｙ２方向に延びた後、Ｚ２方向に延びるように構成されている。
【００６３】
そして、図１０に示すように、ユーザが、取っ手２１をつかんで、バッテリユニット２０をＹ２方向に沿って移動させることにより、ピン２２が、略Ｌ字形状の切欠き３２ｄに沿ってＹ２方向に移動する。そして、図１１に示すように、ユーザが、取っ手２１を、上方側（Ｚ１方向側）に回動させることにより、ピン２２が、略Ｌ字形状の切欠き３２ｄに沿ってＺ２方向に移動する。このとき、ピン２２が支点となり、取っ手２１が力点となるので、てこの原理（てこのはたらき）により、比較的小さい力で、バッテリユニット２０をＹ２方向に移動させることが可能になる。
【００６４】
そして、図９に示すように、取っ手２１に設けられたねじ２３を、バッテリユニット２０の前面に設けられた孔部２４（図８参照）に螺合することにより、取っ手２１がバッテリユニット２０に固定される。
【００６５】
〈パネル部材の凸部の構成〉
また、図１２に示すように、直流電源１００は、筐体３０の前面側（Ｙ１方向側）に設けられ、電源ユニット１０およびバッテリユニット２０を覆うパネル部材５０を備えている。パネル部材５０は、たとえば、樹脂により形成されている。パネル部材５０は、筐体３０に係合するパネル側係合部５１を含んでいる。パネル側係合部５１は、パネル部材５０のＸ１方向側およびＸ２方向側に設けられている。また、筐体３０のＸ１方向側およびＸ２方向側には、それぞれ、パネル側係合部５１に係合する筐体側孔部３４（図３参照）が設けられている。パネル側係合部５１は、スナップフィットから構成されている。そして、パネル側係合部５１は、パネル側係合部５１の弾性を利用して、パネル側係合部５１を筐体側孔部３４に嵌め込むことにより、パネル部材５０を筐体３０に固定するように構成されている。
【００６６】
ここで、本実施形態では、パネル部材５０の電源ユニット１０およびバッテリユニット２０側（裏面側、Ｙ２方向側）には、パネル部材５０の電源ユニット１０およびバッテリユニット２０側に突出するように設けられる凸部５２が設けられている。凸部５２は、電源ユニット１０が第１収納室３１に収納される位置よりも筐体３０の前面側（Ｙ１方向側）にずれて位置している場合、および、バッテリユニット２０が第２収納室３２に収納される位置よりも筐体３０の前面側にずれて位置している場合のうちの少なくとも一方において、筐体３０の前面側に位置している電源ユニット１０およびバッテリユニット２０の少なくとも一方に当接する。これにより、筐体３０へのパネル部材５０の取り付けが、凸部５２により妨げられる。
【００６７】
具体的には、凸部５２は、電源ユニット１０が第１収納室３１に収納される位置よりも筐体３０の前面側（Ｙ１方向側）にずれて位置している場合、および、バッテリユニット２０が第２収納室３２に収納される位置よりも筐体３０の前面側にずれて位置している場合の両方において、筐体３０の前面側に位置している電源ユニット１０およびバッテリユニット２０に当接するように構成されている。そして、凸部５２は、パネル部材５０の電源ユニット１０に対応する位置に設けられる凸部５２ａと、パネル部材５０のバッテリユニット２０に対応する位置に設けられる凸部５２ｂとを含む。
【００６８】
詳細には、凸部５２ａは、複数（４個）の電源ユニット１０に対応するように、複数（４個、電源ユニット１０の数と同一の数）設けられている。凸部５２ａは、パネル部材５０の後述するＸ２方向側の切欠き５４の両側（Ｘ１方向側、Ｘ２方向側）にそれぞれ、２個ずつ設けられている。また、凸部５２ａは、電源ユニット１０が第１収納室３１に収納される位置よりも筐体３０の前面側（Ｙ１方向側）にずれて位置している場合、電源ユニット１０の取っ手１０ｂ（図３参照）に当接する。
【００６９】
また、凸部５２ｂは、複数（２個）のバッテリユニット２０に対応するように、複数（２個、バッテリユニット２０の数と同一の数）設けられている。凸部５２ｂは、パネル部材５０の中央部近傍、および、Ｘ２方向側に設けられている。また、凸部５２ｂは、バッテリユニット２０が第２収納室３２に収納される位置よりも筐体３０の前面側（Ｙ１方向側）にずれて位置している場合、バッテリユニット２０のねじ２３（図９参照）に当接する。具体的には、ねじ２３が孔部２４に十分に螺合されていない場合、凸部５２ｂは、ねじ２３に当接する。
【００７０】
また、本実施形態では、図１３および図１４に示すように、凸部５２は、樹脂からなるパネル部材５０に一体的に設けられている。また、パネル部材５０は、放熱用の複数の孔部５３を含む。そして、凸部５２は、孔部５３の周縁部から、パネル部材５０の電源ユニット１０およびバッテリユニット２０側（Ｙ２方向側）に突出するように設けられている。具体的には、孔部５３は、略六角形形状を有する。そして、図１３に示すように、凸部５２ａは、略六角形形状の孔部５３の１つの辺に対応する部分からＹ２方向側に延びるように形成されている。これにより、凸部５２ａは、Ｙ２方向側から見て、略直線形状を有する。また、図１４に示すように、凸部５２ｂは、略六角形形状の孔部５３の３つの辺に対応する部分からＹ２方向側に延びるように形成されている。これにより、凸部５２ｂは、Ｙ２方向側から見て、階段形状を有する。
【００７１】
また、本実施形態では、電源ユニット１０が第１収納室３１に収納される位置よりも筐体３０の前面側に位置している場合、および、バッテリユニット２０が第２収納室３２に収納される位置よりも筐体３０の前面側に位置している場合のうちの少なくとも一方において（本実施形態では、両方の場合において）、凸部５２が、筐体３０の前面側に位置している電源ユニット１０およびバッテリユニット２０の少なくとも一方に当接するこよにより、パネル側係合部５１を筐体側孔部３４に嵌め込むことができなくなり、パネル部材５０が筐体３０に係合（固定）できなくなる。
【００７２】
また、凸部５２（凸部５２ａおよび凸部５２ｂ）は、電源ユニット１０が第１収納室３１に収納される位置よりも筐体３０の前面側に位置している場合、および、バッテリユニット２０が第２収納室３２に収納される位置よりも筐体３０の前面側に位置している場合において、パネル側係合部５１が筐体側孔部３４に嵌め込むことができなくなる突出高さに調整されている。また、凸部５２（凸部５２ａおよび凸部５２ｂ）は、電源ユニット１０およびバッテリユニット２０が適正に収納されていた場合に、パネル側係合部５１が筐体側孔部３４に嵌め込むことが可能な突出高さに調整されている。なお、電源ユニット１０およびバッテリユニット２０が適正に収納されていた場合、凸部５２（凸部５２ａおよび凸部５２ｂ）は、電源ユニット１０およびバッテリユニット２０に当接しないか、または、当接したとしても、パネル側係合部５１の筐体側孔部３４への嵌め込みを妨げないように構成されている。
【００７３】
〈パネル部材の切欠きの構成〉
また、本実施形態では、図１５に示すように、パネル部材５０は、電源ユニット１０に接続される配線６０が通過可能な、パネル部材５０の外縁部５０ａに開口５４ａを有する切欠き５４を含む。なお、配線６０は、交流電源２００からの交流電力を電源ユニット１０に供給するように構成されている。また、配線６０は、筐体３０に収納される複数（本実施形態では、３個）の電源ユニット１０に対応するように、複数（本実施形態では、３本）設けられている。また、切欠き５４は、複数（本実施形態では、２個）設けられている。１つの切欠き５４に２本の配線６０が通過可能である。また、切欠き５４は、Ｙ１方向側から見て、略矩形形状を有する。
【００７４】
また、本実施形態では、図１２に示すように、切欠き５４は、パネル部材５０を前面側（Ｙ方向側）から見て、切欠き５４の中央部の幅Ｗ１よりも、パネル部材５０の外縁部５０ａに設けられる切欠き５４の開口５４ａの幅Ｗ２の方が小さくなるように構成されている。具体的には、切欠き５４の中央部は、配線６０のプラグ部分６１が通過可能な幅Ｗ１（プラグ部分６１の幅Ｗ１１よりも大きい幅、図１５参照）を有する。また、切欠き５４の開口５４ａは、配線６０のプラグ部分６１の幅Ｗ１１よりも小さく、配線６０の配線本体部６２が通過可能な幅Ｗ２（配線本体部６２の幅Ｗ１２よりも大きい幅、図１５参照）を有する。
【００７５】
また、本実施形態では、切欠き５４は、パネル部材５０の下方（Ｚ２方向）に向かって開口するように構成されている。具体的には、切欠き５４は、Ｙ方向から見て、略矩形形状の切欠き５４のＺ２方向側の辺に対応する部分の一部（Ｚ２方向側の辺に対応する部分の中央部）が切り欠かれて開口している。
【００７６】
また、本実施形態では、切欠き５４の開口５４ａは、パネル部材５０の前面側（Ｙ１方向側）から前面とは反対側（Ｙ２方向側）に向かって、開口５４ａの幅Ｗ２が徐々に大きくなるように構成されている。具体的には、開口５４ａの幅Ｗ２は、幅Ｗ２が略一定の部分５４ｂと、Ｙ１方向側からＹ２方向側に向かって、幅Ｗ２が徐々に大きくなる（テーパ形状）の部分５４ｃとを有する。部分５４ｃは、配線６０を案内する機能を有する。
【００７７】
また、本実施形態では、図１２に示すように、パネル部材５０は、切欠き５４の外縁部に沿うように設けられ前面側（Ｙ１方向側）から後方（Ｙ２方向側）に延びるリブ部５５を含む。リブ部５５は、切欠き５４の外縁部の略全周に渡って形成されている。リブ部５５は、壁形状のリブ部５５ａと、柱形状のリブ部５５ｂとを含む。
【００７８】
また、パネル部材５０のＹ２方向側には、Ｙ２方向側に突出するように複数の導光部５６が設けられている。導光部５６は、筐体３０側に設けられる光源（図示せず）から出射される光を、パネル部材５０の前面側（Ｙ１方向側）に導くように構成されている。
【００７９】
〈接続導体の構成〉
図１６に示すように、直流電源１００には、電源ユニット１０およびバッテリユニット２０に電気的に接続される接続導体７０が設けられている。接続導体７０は、樹脂などにより構成されたケース部６０ａに保持されている。また、接続導体７０は、電源ユニット１０およびバッテリユニット２０の正極に接続される正極接続導体７１と、電源ユニット１０およびバッテリユニット２０の負極に接続される負極接続導体７２とを含む。
【００８０】
また、正極接続導体７１は、筐体３０のＸ方向の略中央部近傍に設けられる第１正極接続端子７１ａおよび第２正極接続端子７１ｂとを含む。また、負極接続導体７２は、筐体３０のＸ１方向側に設けられる第１負極接続端子７２ａと、Ｘ２方向側に設けられる第２負極接続端子７２ｂとを含む。
【００８１】
また、直流電源１００の後面側（Ｙ２方向側）には、外部出力端子６２が設けられている。外部出力端子６２は、正極に接続される正極側外部出力端子６２ａと、負極に接続される負極側外部出力端子６２ｂとを含む。また、正極側外部出力端子６２ａおよび負極側外部出力端子６２ｂは、共に、複数ずつ（本実施形態では、２個）設けられている。なお、外部出力端子６２は、直流電源１００の後面側のＸ２方向側に設けられているが、外部出力端子６２を直流電源１００の後面側のＸ１方向側（または、Ｘ１方向側およびＸ２方向側の両側）に設けてもよい。
【００８２】
また、図１７に示すように、接続導体７０と外部出力端子６２とを接続する接続線８０が設けられている。接続線８０は、外部に直流電力を出力するように構成されている。また、図１８に示すように、接続線８０には、端子側孔部８２を含む端子８１が設けられている。なお、端子８１は、平面視において、略矩形形状を有する。また、端子側孔部８２は、平面視において、円形状を有する。
【００８３】
ここで、本実施形態では、図１８に示すように、接続導体７０には、接続線８０の端子側孔部８２と係合する凸部７３が設けられている。そして、端子８１の端子側孔部８２を、接続導体７０の凸部７３に挿通させることにより、接続導体７０に接続線８０の端子側孔部８２が係合される。なお、端子側孔部８２の直径は、凸部７３の直径よりも大きい。これにより、端子８１の端子側孔部８２を、接続導体７０の凸部７３に挿通させた状態で、接続導体７０は、凸部７３を中心として回動可能である。
【００８４】
また、本実施形態では、図１９に示すように、接続導体７０には、貫通孔からなる接続導体側孔部７０ａが設けられている。そして、凸部７３は、接続導体側孔部７０ａに固定されたねじ部材である。具体的には、凸部７３（ねじ部材）は、ねじ本体部７３ａと、ねじ頭部７３ｂとを含む。そして、ねじ本体部７３ａが、接続導体７０の一方表面側（Ｚ２方向側）から接続導体側孔部７０ａに挿入された状態で、ねじ頭部７３ｂが接続導体７０の一方表面側に圧入されている。そして、ねじ本体部７３ａに端子側孔部８２が係合（挿通）した状態で、ねじ本体部７３ａにナット部材７４を螺合することにより、接続導体７０と接続線８０とが固定される。具体的には、接続導体７０と接続線８０との間に、平座金７５（図１７参照）、ばね座７６（図１７参照）、および、後述する板状部材７７が挟持された状態で、ねじ本体部７３ａにナット部材７４が螺合される。
【００８５】
また、図１７に示すように、接続線８０は、正極に接続される正極側接続線８０ａおよび８０ｂと、負極に接続される負極側接続線８０ｃおよび８０ｄとを含む。正極側接続線８０ａおよび８０ｂ、負極側接続線８０ｃおよび８０ｄは、同様の構成を有する。また、図１８に示すように、接続導体７０の凸部７３は、正極側接続線８０ａの端子側孔部８２（負極側接続線８０ｃの端子側孔部８２）に挿通する凸部７３ｃと、正極側接続線８０ｂの端子側孔部８２（負極側接続線８０ｄの端子側孔部８２）に挿通する凸部７３ｄとを含む。
【００８６】
なお、複数（２本）の正極側接続線８０ａおよび８０ｂと、複数（２本）の負極側接続線８０ｃおよび８０ｄとを設ける（並列に設ける）ことにより、接続線８０が１本の場合と比べて、接続線８０の抵抗損失を低減することが可能になる。その結果、直流電源１００の効率を向上させることが可能になる。
【００８７】
そして、本実施形態では、図１７に示すように、凸部７３ｃに正極側接続線８０ａの端子側孔部８２（負極側接続線８０ｃの端子側孔部８２）が挿通するとともに、凸部７３ｄに正極側接続線８０ｂの端子側孔部８２（負極側接続線８０ｄの端子側孔部８２）が挿通した状態で、凸部７３ｃおよび凸部７３ｄに跨るように、凸部７３ｃおよび凸部７３ｄに挿通される板状部材７７が設けられている。図２０に示すように、板状部材７７は、略矩形形状を有しており、凸部７３ｃおよび凸部７３ｄが挿通される孔部７７ａが設けられている。そして、板状部材７７に凸部７３ｃおよび凸部７３ｄが挿通された状態で、ナット部材７４を凸部７３ｃおよび凸部７３ｄに締結することにより、正極側接続線８０ａおよび８０ｂ（負極側接続線８０ｃおよび８０ｄ）の端子８１に略均等な圧力がかかった状態で、端子８１が接続導体７０に固定される。これにより、端子８１と、接続導体７０との接触部分の接触抵抗を低減することが可能になる。
【００８８】
また、略矩形形状の板状部材７７は、板金（鉄）で構成されている。そして、略矩形形状の板状部材７７の三辺（端辺）が折り曲げられて、壁部７７ｂが構成されている。これにより、板状部材７７の強度を向上させることが可能になる。
【００８９】
〈補強板の構成〉
図１６に示すように、筐体３０には、電源ユニット１０、バッテリユニット２０、接続導体７０、および、接続線８０が収納されている。そして、筐体３０内には、筐体３０を補強するための補強板９０が配置されている。補強板９０は、筐体３０のＸ１方向側の側面とＸ２方向側の側面とに渡るように設けられている。また、補強板９０は、接続導体７０と、外部出力端子６２との間に配置されている。そして、接続線８０は、補強板９０を介して接続導体７０に接続されている。
【００９０】
ここで、本実施形態では、図２１に示すように、補強板９０は、補強板９０の上部（Ｚ１方向側の部分）に設けられ、接続線８０を配置するための切欠き部９１を含む。具体的には、切欠き部９１は、補強板９０の上部（Ｚ１方向側の部分）を略Ｕ字形状に切り欠くことにより形成されている。そして、接続線８０は、切欠き部９１の上方を介して、接続導体７０に接続されている。すなわち、切欠き部９１の上方が開放されている。
【００９１】
また、本実施形態では、補強板９０は、板金からなる。そして、補強板９０は、切欠き部９１の近傍に設けられ、板金が切り起されている切り起こし部９２を含む。具体的には、切欠き部９１の底部（Ｚ２方向側の部分）がＹ１方向側にＬ字形状に折り曲げられる（切り起こされる）ことにより、切り起こし部９２が形成されている。切り起こし部９２は、切欠き部９１の底部の略全長に渡って形成されている。
【００９２】
また、本実施形態では、補強板９０は、補強板９０の下部に設けられ、バッテリユニット２０が挿通される切欠き部９３（図２２参照）と、切欠き部９３の上方に接続導体７０側（Ｙ１方向側）に向かって延びるように設けられ、配線６３を載置するための板金が切り起こされている切り起こし部９４とをさらに含む。また、補強板９０の切り起こし部９４の近傍（補強板９０の中央部近傍）には、開口部９５が設けられている。そして、配線６３（図示しない制御部に接続される信号線）が、Ｙ１方向側から、切り起こし部９４の上方を介して、開口部９５からＹ２方向側に配線される。また、補強板９０には、開口部９６が設けられている。
【００９３】
また、本実施形態では、補強板９０は、略六角形形状の複数の放熱用の孔部９７を含む。複数の放熱用の孔部９７は、補強板９０の、切欠き部９１、切欠き部９３、切り起こし部９２、切り起こし部９４、開口部９５、および、開口部９６以外の部分の略全域に設けられている。
【００９４】
また、補強板９０の端部は、略Ｌ字形状に折り曲げられている。そして、略Ｌ字形状に折り曲げられた部分には、ねじなどにより補強板９０を筐体３０に固定するための孔部９８が設けられている。
【００９５】
（本実施形態の効果）
本実施形態では、以下のような効果を得ることができる。
【００９６】
〈カバー部材の効果〉
本実施形態では、上記のように、第１収納室３１は、カバー部材４０に係合する凹部３１ｆを含み、カバー部材４０は、凹部３１ｆに着脱可能に係合し、カバー部材４０を第１収納室３１に固定するための、爪部４１ａを含む。これにより、カバー部材４０の爪部４１ａを第１収納室３１の凹部３１ｆに係合させるだけで、カバー部材４０を第１収納室３１に固定することができるので、治具を用いてカバー部材４０を第１収納室３１にねじ止めする場合と異なり、カバー部材４０の固定作業の作業性を向上させることができる。また、カバー部材４０の爪部４１ａと第１収納室３１の凹部３１ｆとの係合を解除するだけで、カバー部材４０を第１収納室３１から取り外すことができるので、カバー部材４０の取り外し作業の作業性を向上させることができる。
【００９７】
また、本実施形態では、上記のように、第１収納室３１の内側面３１ｅに設けられた凹部３１ｆと、凹部３１ｆに着脱可能に係合する爪部４１ａとを設ける。これにより、凹部３１ｆが、第１収納室３１の内側面３１ｅに設けられているので、直流電源１００の近傍に他の装置などが配置されていた場合でも、他の装置に干渉されることなく、凹部３１ｆと爪部４１ａとを係合させることができる。
【００９８】
また、本実施形態では、上記のように、爪部４１ａは、弾性変形可能な板ばね部材４１に設けられている。そして、板ばね部材４１は、爪部４１ａの一方側に設けられ、板ばね部材４１をカバー部材４０に締結固定するための固定部４１ｂと、爪部４１ａの他方側に設けられ、固定部４１ｂを中心として爪部４１ａを凹部３１ｆから離間する方向に移動させて、爪部４１ａと凹部３１ｆとの係合状態を解除するための係合解除部４１ｃとを含む。これにより、板ばね部材４１の係合解除部４１ｃを、爪部４１ａが凹部３１ｆから離間する方向に移動させるだけで、容易に、爪部４１ａと凹部３１ｆとの係合状態を解除することができる。
【００９９】
また、本実施形態では、上記のように、カバー部材４０は、爪部４１ａが設けられる側とは反対側に設けられ、カバー部材４０から第１収納室３１側に突出するとともに、第１収納室３１の内側面３１ｅを押圧する弾性変形可能な押圧部４４を含む。これにより、爪部４１ａの係合と、押圧部４４の押圧との両方によって、カバー部材４０が第１収納室３１に固定されるので、カバー部材４０の第１収納室３１に対する固定を強固にすることができる。
【０１００】
また、本実施形態では、上記のように、カバー部材４０は、箱状を有しているとともに、箱状のカバー部材４０の上面に設けられ、仕切板３３に当接してカバー部材４０が第１収納室３１の奥側に移動するのを規制する当接部４５を含む。これにより、カバー部材４０の移動が当接部４５に当接する仕切板３３により規制される。すなわち、カバー部材４０が、第１収納室３１において仕切板３３が配置されている位置よりも奥側に移動するのを、当接部４５により、容易に抑制することができる。
【０１０１】
また、本実施形態では、上記のように、カバー部材４０は、カバー部材４０の上面と前面とに跨るように設けられ、カバー部材４０を着脱する際の取っ手となる孔部４７を含む。これにより、ユーザが孔部４７に指を掛けることにより、容易に、カバー部材４０を第１収納室３１に出し入れすることができる。
【０１０２】
〈接続導体の効果〉
本実施形態では、上記のように、接続導体７０に、接続線８０の端子側孔部８２と係合する凸部７３が設けられている。ここで、接続導体７０に凸部７３ではなく孔部が設けられている場合、接続導体７０の孔部と接続線８０の端子側孔部８２とをユーザの一方の手で位置合わせした状態で、ユーザの他方の手で、接続線８０を締結部材により接続導体７０に固定する必要がある。すなわち、接続線８０の固定に、両手が必要である。そこで、上記のように構成することによって、接続導体７０に接続線８０が固定（係合）されるので、接続線８０の固定時に、ユーザは、片方の手のみで接続導体７０と接続線８０とをナット部材７４により固定することができる。すなわち、接続導体７０の位置合わせが不要になるとともに、ユーザの片方の手のみで接続線８０を接続導体７０に固定する（取り付ける）ことができるので、接続線８０を固定（接続）する作業の作業性を向上させることができる。
【０１０３】
また、本実施形態では、上記のように、端子８１の端子側孔部８２を、接続導体７０の凸部７３に挿通させることにより、接続導体７０に接続線８０の端子側孔部８２を係合する。これにより、端子の端子側孔部８２を、接続導体７０の凸部７３に挿通させるだけで、容易に、接続導体７０に接続線８０の端子側孔部８２を係合することができる。
【０１０４】
また、本実施形態では、上記のように、接続導体７０には、貫通孔からなる接続導体側孔部７０ａが設けられおり、凸部７３は、接続導体側孔部７０ａに固定されたねじ部材を含む。これにより、ねじ部材にねじ山が予め設けられているので、ナット部材７４をねじ部材に螺合することにより、容易に、接続導体７０に接続線８０を固定することができる。
【０１０５】
また、本実施形態では、上記のように、凸部７３（ねじ部材）は、ねじ本体部７３ａと、ねじ頭部７３ｂとを含み、ねじ本体部７３ａが、接続導体７０の一方表面側から接続導体側孔部７０ａに挿入された状態で、ねじ頭部７３ｂが接続導体７０の一方表面側に圧入されている。これにより、凸部７３（ねじ部材）を溶接などすることなく、容易に、接続導体７０に固定することができる。
【０１０６】
また、本実施形態では、上記のように、ねじ本体部７３ａに端子側孔部８２が係合した状態で、ねじ本体部７３ａ（凸部７３）にナット部材７４を螺合することにより、接続導体７０と接続線８０とが固定されるように構成されている。これにより、接続導体７０と接続線８０とをナット部材７４により強固に固定することができる。
【０１０７】
また、本実施形態では、上記のように、凸部７３ｃおよび凸部７３ｄに、正極側接続線８０ａおよび８０ｂ（負極側接続線８０ｃおよび８０ｄ）の端子側孔部８２が挿通した状態で、凸部７３ｃおよび凸部７３ｄに跨るように、凸部７３ｃおよび凸部７３ｄに挿通される板状部材７７が設けられている。これにより、正極側接続線８０ａおよび８０ｂ（負極側接続線８０ｃおよび８０ｄ）の端子８１に略均等な圧力がかかるので、端子８１と、接続導体７０との接触部分の接触抵抗を低減することができる。
【０１０８】
〈補強板の効果〉
本実施形態では、上記のように、接続線８０は、補強板９０を介して接続導体７０に接続されており、補強板９０は、補強板９０の上部に設けられ、接続線８０を配置するための切欠き部９１を含む。これにより、補強板９０（切欠き部９１）の上方が開放されているので、補強板９０に接続線８０を通すための孔部（開口部）が設けられている場合と異なり、接続線８０の接続導体７０への接続作業の作業性を向上させることができる。すなわち、接続線８０を上方から接続導体７０に接続することができるとともに、接続線８０を接続導体７０から上方に取り外すことができる。
【０１０９】
また、本実施形態では、上記のように、補強板９０は、板金からなるとともに、切欠き部９１の近傍に設けられ、板金が切り起されている切り起こし部９２を含む。これにより、板金からなる補強板９０の強度を、切り起こし部９２により向上させることができる。
【０１１０】
また、本実施形態では、上記のように、補強板９０は、略六角形形状の複数の放熱用の孔部９６を含む。これにより、略六角形形状の複数の放熱用の孔部９６によりハニカム構造を形成することにより、補強板９０の強度を比較的高くする（強度の低下を抑制しながら補強板９０を構成する材料を低減する）ことができる。
【０１１１】
また、本実施形態では、上記のように、補強板９０は、補強板９０の下部に設けられ、バッテリユニット２０が挿通される切欠き部９３と、切欠き部９３の上方に接続導体７０側に向かって延びるように設けられ、配線６３を載置するための板金が切り起こされている切り起こし部９４と含む。これにより、バッテリユニット２０と配線６３とが切り起こし部９４により仕切られるので、バッテリユニット２０と配線６３とが接触する（干渉する）のを抑制することができる、
【０１１２】
〈パネル部材の凸部の効果〉
本実施形態では、上記のように、パネル部材５０は、パネル部材５０の電源ユニット１０およびバッテリユニット２０側に突出するように設けられ、電源ユニット１０が第１収納室３１に収納される位置よりも筐体３０の前面側にずれて位置している場合、および、バッテリユニット２０が第２収納室３２に収納される位置よりも筐体３０の前面側にずれて位置している場合のうちの少なくとも一方において、筐体３０の前面側に位置している電源ユニット１０およびバッテリユニット２０の少なくとも一方に当接して、筐体３０へのパネル部材５０の取り付けを妨げる凸部５２を含む。これにより、電源ユニット１０が第１収納室３１に適切に収納されていない場合、および、バッテリユニット２０が第２収納室３２に適切に収納されていない場合の少なくとも一方を、パネル部材５０の筐体３０への取り付けが凸部５２により妨げられることにより、ユーザに認知させることができる。その結果、電源ユニット１０およびバッテリユニット２０の少なくとも一方が適切に取り付けられていない状態で、直流電源１００が使用されることを抑制することができる。
【０１１３】
また、本実施形態では、上記のように、凸部５２は、パネル部材５０の電源ユニット１０に対応する位置に設けられる凸部５２ａと、パネル部材５０のバッテリユニット２０に対応する位置に設けられる凸部５２ｂとを含む。これにより、電源ユニット１０が第１収納室３１に適切に収納されていない場合、および、バッテリユニット２０が第２収納室３２に適切に収納されていない場合の両方を、ユーザに認知させることができる。
【０１１４】
また、本実施形態では、上記のように、電源ユニット１０およびバッテリユニット２０は、共に、複数ずつ設けられており、凸部５２ａおよび凸部５２ｂは、共に、複数の電源ユニット１０および複数のバッテリユニット２０に対応するように、複数ずつ設けられている。これにより、複数の電源ユニット１０および複数のバッテリユニット２０のうちのいずれかが適切に収納されていないことを、ユーザに認知させることができる。
【０１１５】
また、本実施形態では、上記のように、パネル部材５０は、樹脂からなり、凸部５２は、樹脂からなるパネル部材５０に一体的に設けられている。これにより、パネル部材５０と凸部５２とが別個に設けられている場合と異なり、直流電源１００を構成する部品点数の数が増加するのを抑制することができる。
【０１１６】
また、本実施形態では、上記のように、パネル部材５０は、放熱用の複数の孔部５３を含み、凸部５２は、孔部５３の周縁部から、パネル部材５０の電源ユニット１０およびバッテリユニット２０側に突出するように設けられている。これにより、凸部５２により放熱用の複数の孔部５３が塞がれることが抑制されるので、放熱の効率が低下するのを抑制することができる。
【０１１７】
また、本実施形態では、上記のように、パネル部材５０は、筐体３０に係合するパネル側係合部５１を含み、パネル側係合部５１は、電源ユニット１０が第１収納室３１に収納される位置よりも筐体３０の前面側に位置している場合、および、バッテリユニット２０が第２収納室３２に収納される位置よりも筐体３０の前面側に位置している場合のうちの少なくとも一方において、凸部５２が筐体３０の前面側に位置している電源ユニット１０およびバッテリユニット２０の少なくとも一方に当接して、パネル部材５０が筐体３０に係合できなくなるように構成されている。これにより、電源ユニット１０が第１収納室３１に適切に収納されていない場合、および、バッテリユニット２０が第２収納室３２に適切に収納されていない場合の少なくとも一方を、ユーザがパネル部材５０を筐体３０に係合する（取り付ける）際に、容易に、ユーザに認知させることができる。
【０１１８】
〈パネル部材の切欠きの構成〉
また、本実施形態では、上記のように、パネル部材５０は、電源ユニット１０に接続される配線６０が通過可能な、パネル部材５０の外縁部に開口５４ａを有する切欠き５４を含む。これにより、電源ユニット１０に配線６０を接続した状態で、切欠き５４の開口５４ａを配線６０が通過するようにパネル部材５０を移動させることにより、パネル部材５０を筐体３０から取り外すことができる。その結果、電源ユニット１０に配線６０を接続したままの状態で、直流電源１００の保守を行うことができる。
【０１１９】
また、本実施形態では、上記のように、切欠き５４は、パネル部材５０を前面側から見て、切欠き５４の中央部の幅Ｗ１よりも、パネル部材５０の外縁部に設けられる切欠き５４の開口５４ａの幅Ｗ２の方が小さくなるように構成されている。これにより、切欠き５４の開口５４ａの幅Ｗ２が小さくされる分、パネル部材５０の強度が低下するのを抑制することができる。
【０１２０】
また、本実施形態では、上記のように、パネル部材５０は、切欠き５４の外縁部に沿うように設けられ前面側から後方に延びるリブ部５５を含む。これにより、切欠き５４が設けられることにより、比較的強度の低下したパネル部材５０の強度を、リブ部５５により高めることができる。
【０１２１】
また、本実施形態では、上記のように、切欠き５４は、パネル部材５０の下方に向かって開口するように構成されている。これにより、電源ユニット１０に配線６０を接続した状態で、パネル部材５０を上方に移動させることにより、パネル部材５０を筐体３０から取り外すことができる。その結果、直流電源１００が比較的下方の位置（たとえば、サーバラック２３０の下方）に配置されている場合でも、容易に、パネル部材５０を筐体３０から取り外すことができる。
【０１２２】
また、本実施形態では、上記のように、切欠き５４の開口５４ａは、パネル部材５０の前面側から前面とは反対側に向かって、開口５４ａの幅Ｗ２が徐々に大きくなるように構成されている。これにより、配線６０を切欠き５４の開口５４ａの幅Ｗ２が徐々に大きくなる部分５４ｃによって案内することができるので、パネル部材５０の筐体３０からの取り外し（パネル部材５０の筐体３０への取り付け）を容易に行うことができる。
【０１２３】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１２４】
〈カバー部材の変形例〉
たとえば、上記実施形態では、第１収納室に凹部が設けられ、カバー部材に爪部が設けられている例について示したが、本発明はこれに限られない。たとえば、第１収納室に爪部が設けられ、カバー部材に凹部が設けられていてもよい。
【０１２５】
また、上記実施形態では、爪部が２個設けられている例について示したが、本発明はこれに限られない。たとえば、爪部が１個、または、３個以上設けられていてもよい。
【０１２６】
また、上記実施形態では、板ばね部材が、かしめにより固定されている例について示したが、本発明はこれに限られない。たとえば、板ばね部材をねじなどにより固定してもよい。
【０１２７】
また、上記実施形態では、カバー部材の切欠きと、第１収納室を上下に仕切るための仕切板とが当接する例について示したが、本発明はこれに限られない。たとえば、カバー部材の切欠き以外の部分と仕切板とが当接するようにしてもよい。
【０１２８】
また、上記実施形態では、箱状のカバー部材が設けられる例について示したが、本発明はこれに限られない。たとえば、箱状以外の形状のカバー部材が設けられていてもよい。
【０１２９】
〈接続導体の変形例〉
上記実施形態では、接続線に端子側孔部が設けられている例について示したが、本発明はこれに限られない。たとえば、接続線に接続導体の凸部に係合するフック部を設けてもよい。
【０１３０】
また、上記実施形態では、接続導体の凸部がねじ部材から構成されている例について示したが、本発明はこれに限られない。たとえば、接続導体に、柱状の凸部を溶接してもよい。
【０１３１】
また、上記実施形態では、正極（負極）に接続される接続線が２本設けられている例について示したが、本発明はこれに限られない。たとえば、正極（負極）に接続される接続線が、１本または３本以上設けられていてもよい。
【０１３２】
〈補強板の変形例〉
上記実施形態では、補強板の切欠き部（９１）が略Ｕ字形状である例について示したが、本発明はこれに限られない。たとえば、補強板の切欠き部が略Ｕ字形状以外の形状（略Ｌ字形状）であってもよい。
【０１３３】
また、上記実施形態では、補強板の切欠き部（９１）が１つ設けられている例について示したが、本発明はこれに限られない。たとえば、補強板に切欠き部（９１）が複数設けられていてもよい。
【０１３４】
また、上記実施形態では、切り起こし部（９２）が切欠き部（９１）の底部に設けられている例について示したが、本発明はこれに限られない。たとえば、切り起こし部（９２）が切欠き部（９１）の底部以外の部分に設けられていてもよい。
【０１３５】
〈パネル部材の凸部の変形例〉
上記実施形態では、パネル部材に、電源ユニットおよびバッテリユニットに当接する凸部が設けられている例について示したが、本発明はこれに限られない。たとえば、電源ユニットおよびバッテリユニットに凸部以外の当接部を設けて、電源ユニットおよびバッテリユニットに当接部が当接するようにしてもよい。
【０１３６】
また、上記実施形態では、電源ユニットの取っ手、および、バッテリユニットのねじに凸部が当接する例について示したが、本発明はこれに限られない。たとえば、電源ユニットの取っ手以外の部分、および、バッテリユニットのねじ以外の部分に、凸部が当接してもよい。
【０１３７】
また、上記実施形態では、凸部がパネル部材に一体的に設けられる例について示したが、本発明はこれに限られない。たとえば、凸部がパネル部材と別個に設けられていてもよい。
【０１３８】
〈パネル部材の切欠きの変形例〉
上記実施形態では、切欠きの中央部の幅よりも、パネル部材の外縁部に設けられる切欠きの開口の幅の方が小さくなる例について示したが、本発明はこれに限られない。たとえば、パネル部材の強度が確保できるならば、切欠きの中央部の幅と、切欠きの開口の幅とが略同じであってもよい。
【０１３９】
また、上記実施形態では、リブ部が、切欠きの外縁部の略全周に渡って設けられる例について示したが、本発明はこれに限られない。たとえば、リブ部が、切欠きの外縁部の一部に設けられていてもよい。
【０１４０】
また、上記実施形態では、切欠きは、パネル部材の下方に向かって開口するように構成されている例について示したが、本発明はこれに限られない。たとえば、切欠きは、パネル部材の上方に向かって開口していてもよい。
【０１４１】
〈その他の変形例〉
上記実施形態では、直流電源がサーバに接続されている（サーバに直流電力を供給する）例について示したが、本発明はこれに限られない。たとえば、直流電源がサーバ以外の機器に直流電力を供給するようにしてもよい。
【０１４２】
また、上記実施形態では、電源ユニットを収納する第１収納室が４個設けられているとともに、バッテリユニットを収納する第２収納室が２個設けられている例について示したが、本発明はこれに限られない。たとえば、第１収納室が４個以外の数、第２収納室が２個以外の数設けられていてもよい。
【符号の説明】
【０１４３】
１０、１０ａ〜１０ｄ  電源ユニット
２０、２０ａ、２０ｂ  バッテリユニット
３０  筐体
３１、３１ａ〜３１ｄ  第１収納室
３２、３２ａ、３２ｂ  第２収納室
３１ｅ  内側面
３１ｆ  凹部（第１係合部）
３３  仕切板
４０  カバー部
４１  板ばね部材
４１ａ  爪部（第２係合部）
４１ｂ  固定部
４１ｃ  係合解除部
４４  押圧部
４５  当接部
４７  孔部
１００  直流電源
【図１】
2017184370.tif 000003
【図２】
2017184370.tif 000004
【図３】
2017184370.tif 000005
【図４】
2017184370.tif 000006
【図５】
2017184370.tif 000007
【図６】
2017184370.tif 000008
【図７】
2017184370.tif 000009
【図８】
2017184370.tif 000010
【図９】
2017184370.tif 000011
【図１０】
2017184370.tif 000012
【図１１】
2017184370.tif 000013
【図１２】
2017184370.tif 000014
【図１３】
2017184370.tif 000015
【図１４】
2017184370.tif 000016
【図１５】
2017184370.tif 000017
【図１６】
2017184370.tif 000018
【図１７】
2017184370.tif 000019
【図１８】
2017184370.tif 000020
【図１９】
2017184370.tif 000021
【図２０】
2017184370.tif 000022
【図２１】
2017184370.tif 000023
【図２２】
2017184370.tif 000024